(57)【要約】【課題】片手にセロテープを装着したテープカッターを持ち、もう一方の片手で装着されたセロテープの切端をつまんで必要な長さまで引き出し、そのまま対象物に貼り付けテープカッターを押し立ててセロテープが切断出来るテープカッターを提供する。【解決手段】テープケースの中央にセロテープ装着部を設け、張り出した先端部にセロテープ切刃とテープ受板とセロテープ引き出し開口部を設け、テープケース上部に押しボタンで開閉自在のテープ開閉レバーを組み込みセロテープの引き出しの調整およびセロテープ切断後の切端を挟み固定できるようにした。【選択図】  図１
2006160515.tif 000002
【特許請求の範囲】
【請求項１】
テープケース１１の中央にセロテープ底上げ部１８および円形でセロテープが回転自在のセロテープ装着部１０を設け、テープケース１１の張り出した先端部分にテープ切刃１およびテープ受板１６を取り付け、テープケース１１の下部にセロテープ引き出し用の開口部１２を設け、上部には押しボタン３組み込み用の上部開口部１９を設け、上部内側に軸受６が設けられたテープケース１１と、セロテープの引き出しおよび挟み閉じの調整部として図２テープ開閉レバーが設けられ、テープ開閉レバーは台座２の上部に押しボタン３を取り付け、後部両脇に開閉軸５を設け、バネ収納部４にバネ７を組み込み、台座２前部片側より片腕を伸ばして曲げた形状にアーム１３を設け、その先端にテープ切端押さえ部１４が取り付けられ、アーム１３のもう一方の片側はセロテープの装着用に開口され、先端のテープ切端押さえ部１４は、すくなくともＶ字形あるいはＵ字形でそれぞれの先端は細く薄い形状に形成され、軸受６に組み込まれた開閉軸５を支点に押しボタン３およびバネ７で開閉自在となるテープ開閉レバーと、テープケース蓋２０と、これら一体として構成され、図４押しボタン３を押し２１テープ開閉レバーを開いてセロテープを剥がし２２つまみ引き出し２３、押しボタン３を戻して閉じてセロテープ切断後に切端がゆるまないようテープ切端押さえ部１４で挟み固定し、そのまま貼り付け２４、テープケース１１を押し立てて２５テープ切刃１で切断２６されることを特徴とするテープカッター。
【請求項２】
前記テープ開閉レバーはセロテープの切端押さえを目的とし、開閉可動手段としてテープケースのいずれかの位置にテープ開閉レバーの開閉軸５の可動支点を設けるか、あるいはすくなくともテープケースに誘導溝を設けテープ切端押さえ部１４を開閉方向にスライドさせる可動手段を有することを特徴とする請求項１のテープカッター。
【発明の詳細な説明】
【発明の詳細な説明】
【技術分野】
【０００１】本発明はセロテープを装着したテープケースからセロテープを必要なぶんだけ引き出して、そのまま対象物に貼り付けテープケースを押し立てて切断出来るテープカッターに関する。
【背景技術】
【０００２】従来の小型のテープカッターにおいては、片手にテープカッターを持ち、もう一方の片手でセロテープをつまみ引き出してテープカッターで切断した場合、切断されたセロテープは伸縮性があるため空を舞い垂れ下がり不要な場所に貼り付いたり巻き付いたりするため、テープカッターを持っていた片手を素早く離してセロテープの切端部を掴まなければならないという問題があった。また素早く掴んでも、あわてて掴むためシワにならないように綺麗に貼るには指に貼り付いたセロテープを剥がし持ち直ししなければならない難点があった。また流通している多くの小型テープカッターは角張っていてポケットに収納するには危険すぎて携帯するには問題があった。
【発明が解決しようとする課題】
【０００３】本発明は、片手でテープカッターを持ち、もう一方の片手でセロテープの切端をつまみ、必要な長さだけ引き出しそのまま対象物に貼り付けてテープカッターを押し立てて切断できるテープカッターを提供することを目的とする。
【課題を解決するための手段】
【０００４】本発明のテープカッターは、テープケース１１の中央に円形のセロテープ装着部１０を設け、テープケースの張り出した先端部にテープ切刃１とテープ受板１６とセロテープ引き出し用の開口部１２を設け、セロテープ引き出し時とセロテープ切断後のセロテープ切端を挟み固定するため押しボタン３で開閉自在のテープ開閉レバーにテープ切端押さえ部１４を取り付けることにより上記目的を達成するものである。
【発明を実施するための最良の形態】
【０００５】以下本発明の実施の形態を図面と共に説明する。【０００６】図１のテープケース１１の中央に図３テープ底上げ部１８と円形でセロテープが回転自在のセロテープ装着部１０を設け、図１テープケース１１の張り出し先端部分にテープ切刃１とセロテープの引き出しを誘導させるテープ受板１６と上部開口部１９と開口部１２および軸受６とバネ止め部８を設け、これら一体でテープケース１１が形成されている。【０００７】図２テープ開閉レバーの台座２上部に押しボタン３を設け、後方の両脇に開閉軸５を取り付け、中央にバネ収納部４を設けてバネ７を差し込み、前部には片側より片腕を伸ばして曲げた形状にアーム１３とテープ切端押さえ部１４を取り付ける。アーム１３のもう一方の片側は開口されていて図１セロテープ１５を引き出したまま装着できるようなっている。これらで図２テープ開閉レバー一体が構成されている。またテープ切端押さえ部１４は図１セロテープ１５の切端がゆるまないようセロテープの粘着面で接着固定し或いは指でつまみ剥がしやすいように、すくなくともＶ字形あるいはＵ字形で先端は細く薄い形状に形成されている。【０００８】本発明のテープカッターは、図３テープケース１１にバネ７を組み込んだテープ開閉レバーの開閉軸５をテープケース１１の内側から軸受６に押し込み、バネＬ形止め部１７をバネ止め部８にはめ込み、同時に押しボタン３を上部開口部１９より押し出して組み立て、押しボタン３を押してテープ開閉レバーの開閉が出来るように構成されている。
【実施例】
【０００９】本発明のテープカッターの押しボタン３を指で押してテープ受板１６とテープ切端押さえ部１４との間隔を広げ、セロテープを引き出してセロテープ巻き部をセロテープ装着部１０に装着し、引き出したセロテープ１５切端部をテープ受板１６とテープ切端押さえ部１４との間に通して押しボタン３の指を戻しテープ切端押さえ部１４でセロテープ１５の切端部を挟み接着固定し、テープケース蓋を装着する。片手に本発明のセロテープを装着したテープカッターを持ち、図４押しボタン３を押して２１もう一方の片手でセロテープの切端を剥がし２２つまんで必要な長さまで引き出し２３、そのまま対象物に貼り付け２４押しボタンを戻し、テープカッターを押し立てて２５セロテープが切断２６出来る
【発明の効果】
【００１０】本発明は片手にテープカッター１１を持ち、もう一方の片手でセロテープ１５を必要なだけ引き出して貼り付け、そのまま、テープカッターを押し立ててセロテープの切断ができるようになった。従来のようにセロテープ切断後あわてて片手を離してセロテープ切端を持ち直すことも不要となった。セロテープの貼り付けの失敗や、長く切断したり短く切断したり長短の見込み違いの無駄がなくなり快適に作業できるようになった。また、見た目もスマートになった。安心してポケットにも収納できるようになった。
【図面の簡単な説明】
【００１１】
【図１】テープカッターの断面図。
【図２】テープ開閉レバーとバネ組み込みの斜視図。
【図３】テープカッターの実地例の斜視図。
【図４】テープカッターの操作手順図
【符号の説明】
１  テープ切刃
２  台座
３  押しボタン
４  バネ収納部
５  開閉軸
６  軸受
７  バネ
８  バネ止め部
９  セロテープ
１０  セロテープ装着部
１１  テープケース
１２  開口部
１３  アーム
１４  テープ切端押さえ部
１５  セロテープ
１６  テープ受板
１７  バネＬ形止め部
１８  セロテープ底上げ部
１９  上部開口部
２０  テープケース蓋
２１  押す
２３  剥がす
２４  貼り付ける
２５  押し立てる
２６  切断
【図１】
2006160515.tif 000003
【図２】
2006160515.tif 000004
【図３】
2006160515.tif 000005
【図４】
2006160515.tif 000006